(57)【特許請求の範囲】
【請求項１】
公衆交換電話網に一端が接続される第１通信線の他端が接続される第１接続部と、
通話装置に一端が接続される第２通信線の他端が接続される第２接続部と、
前記公衆交換電話網を介して画像データを送受信するファクシミリ通信処理を実行する通信処理部と、
前記第１接続部及び前記第２接続部が並列で接続され、前記通信処理部により前記ファクシミリ通信処理が実行される際に前記第２接続部との間の通信経路を遮断可能な切換処理部と、
予め定められた判定開始条件が充足した場合に、前記通信経路を遮断した後、前記切換処理部に予め定められた回線電圧が印加されている場合に前記第１接続部及び前記公衆交換電話網の接続が正常であると判定可能な接続判定処理部と、
前記通話装置の接続の有無の設定を受け付ける設定処理部と、
前記設定処理部によって前記通話装置の接続が無しに設定された場合に前記切換処理部による前記通信経路の遮断を禁止する遮断禁止処理部と、
を備える画像形成装置。
【請求項２】
公衆交換電話網に一端が接続される第１通信線の他端が接続される第１接続部と、
通話装置に一端が接続される第２通信線の他端が接続される第２接続部と、
前記公衆交換電話網を介して画像データを送受信するファクシミリ通信処理を実行する通信処理部と、
前記第１接続部及び前記第２接続部が並列で接続され、前記通信処理部により前記ファクシミリ通信処理が実行される際に前記第２接続部との間の通信経路を遮断可能な切換処理部と、
予め定められた判定開始条件が充足した場合に、前記通信経路を遮断した後、前記切換処理部に予め定められた回線電圧が印加されている場合に前記第１接続部及び前記公衆交換電話網の接続が正常であると判定可能な接続判定処理部と、
を備え、
前記接続判定処理部が、前記通信経路を遮断した場合に接続が正常でないと判定した場合は、前記通信経路を確立させて前記第１接続部及び前記切換処理部の間の第１通信経路を遮断した後、前記切換処理部に前記回線電圧が印加されている場合に前記第２接続部に前記公衆交換電話網が接続されていると判定し、
前記切換処理部が、前記接続判定処理部によって前記第２接続部に前記公衆交換電話網が接続されていると判定された場合は、前記通信処理部によって前記ファクシミリ通信処理が実行される際に前記通信経路に代えて前記第１通信経路を遮断する、
画像形成装置。
【請求項３】
前記接続判定処理部が、前記切換処理部に前記回線電圧が印加されており、且つ前記公衆交換電話網から予め定められたダイヤルトーン信号が受信されている場合に、前記第１接続部及び前記公衆交換電話網の接続が正常であると判定する請求項１又は２に記載の画像形成装置。
【請求項４】
前記接続判定処理部による判定結果を報知する判定報知処理部を更に備える請求項１〜３のいずれかに記載の画像形成装置。
【請求項５】
前記判定開始条件が、予め定められたユーザー操作が行われることである請求項１〜４のいずれかに記載の画像形成装置。
【請求項６】
前記判定開始条件が、予め定められた通信異常が発生することである請求項１〜５のいずれかに記載の画像形成装置。
【発明の詳細な説明】
【技術分野】
【０００１】
本発明は、公衆交換電話網を介して画像データを送信可能な画像形成装置に関する。
【背景技術】
【０００２】
一般に、公衆交換電話網を介して画像データを送受信するファクシミリ通信処理が実行可能な画像形成装置が知られている（例えば、特許文献１参照）。なお、この種の画像形成装置では、公衆交換電話網から印加される回線電圧を検出することにより、公衆交換電話網が正常に接続されているか否かを判定することが可能である。
【先行技術文献】
【特許文献】
【０００３】
【特許文献１】特開２００６−２７０７４２号公報
【発明の概要】
【発明が解決しようとする課題】
【０００４】
ところで、この種の画像形成装置には、公衆交換電話網に一端が接続される通信線の他端が接続される回線用の接続部とは別に、ハンドセットなどの通話装置に一端が接続される通信線の他端が接続される通話用の接続部が設けられることがある。なお、回線用の接続部及び通話用の接続部は、画像形成装置に対して並列に接続される。この場合、ユーザーが、２本の通信線を回線用の接続部及び通話用の接続部に対して誤って逆に接続した場合でも、画像形成装置には回線電圧が印加されることになる。そのため、回線電圧の印加の有無だけでは公衆交換電話網が正常に接続されているか否かを判定することができない。
【０００５】
本発明の目的は、通話装置が接続可能な構成において公衆交換電話網が正しく接続されているか否かを検出することが可能な画像形成装置を提供することにある。
【課題を解決するための手段】
【０００６】
本発明の一の局面に係る画像形成装置は、第１接続部と、第２接続部と、通信処理部と、遮断切換部と、切換処理部と、接続判定処理部とを備える。前記第１接続部には、公衆交換電話網に一端が接続される第１通信線の他端が接続される。前記第２接続部には、通話装置に一端が接続される第２通信線の他端が接続される。前記通信処理部は、前記公衆交換電話網を介して画像データを送受信するファクシミリ通信処理を実行する。前記遮断切換部は、前記第２接続部及び前記通信処理部の間の通信経路を遮断可能である。前記切換処理部は、前記第１接続部及び前記第２接続部が並列で接続され、前記通信処理部により前記ファクシミリ通信処理が実行される際に前記遮断切換部により前記通信経路を遮断する。前記接続判定処理部は、予め定められた判定開始条件が充足した場合に、前記通信経路を遮断した後、前記切換処理部に予め定められた回線電圧が印加されている場合に前記第１接続部及び前記公衆交換電話網の接続が正常であると判定可能である。
【発明の効果】
【０００７】
本発明によれば、通話装置が接続可能な構成において公衆交換電話網が正しく接続されているか否かを検出することが可能な画像形成装置が提供される。
【図面の簡単な説明】
【０００８】
【図１】図１は、本発明の第１実施形態に係る画像形成装置の外観構成を示す図である。
【図２】図２は、本発明の第１実施形態に係る画像形成装置のシステム構成を示すブロック図である。
【図３】図３は、本発明の第１実施形態に係る画像形成装置で実行される接続判定処理の手順の一例を示すフローチャートである。
【図４】図４は、本発明の第２実施形態に係る画像形成装置のシステム構成を示すブロック図である。
【図５】図５は、本発明の第２実施形態に係る画像形成装置で実行される接続判定処理の手順の他の例を示すフローチャートである。
【図６】図６は、本発明の第２実施形態に係る画像形成装置で表示される表示画面の一例を示す図である。
【発明を実施するための形態】
【０００９】
以下、添付図面を参照しながら、本発明の実施形態について説明し、本発明の理解に供する。なお、以下の実施形態は、本発明を具体化した一例であって、本発明の技術的範囲を限定するものではない。
【００１０】
［第１実施形態］
図１及び図２に示されるように、本発明の第１実施形態に係る画像形成装置１０は、操作表示部１、ＡＤＦ２、画像読取部３、画像形成部４、記憶部５、通信Ｉ／Ｆ６、及び制御部７などを備える。具体的に、画像形成装置１０は、プリンター機能、スキャナー機能、コピー機能、及びファクシミリ機能などを有する複合機である。なお、画像形成装置１０は、複合機に限らず、少なくともファクシミリ機能を有するファクシミリ装置であってもよい。
【００１１】
操作表示部１は、情報を表示する液晶ディスプレーなどの表示部と、ユーザー操作を受け付けるタッチパネル及び操作ボタンなどの操作部とを備える。ＡＤＦ２は、原稿セット部、搬送ローラー、原稿押さえ、及び排紙部を備え、画像読取部３の読み取り対象となる原稿を搬送する自動原稿搬送装置である。
【００１２】
画像読取部３は、原稿台、光源、ミラー、光学レンズ、及びＣＣＤ（Ｃｈａｒｇｅ  Ｃｏｕｐｌｅｄ  Ｄｅｖｉｃｅ）を備え、前記原稿台に載置された原稿又はＡＤＦ２で搬送される原稿から画像を読み取って画像データとして出力することが可能である。
【００１３】
画像形成部４は、電子写真方式又はインクジェット方式で画像データに基づく印刷処理を実行することが可能である。例えば、画像形成部４が電子写真方式の画像形成部である場合、画像形成部４は、感光体ドラム、帯電器、露光装置、現像装置、転写装置、及び定着装置などを備える。
【００１４】
記憶部５は、ハードディスク又はＥＥＰＲＯＭ（登録商標）などの不揮発性の記憶部である。記憶部５には、制御部７によって実行される各種の制御プログラム及び前記画像データなどが記憶される。
【００１５】
通信Ｉ／Ｆ６は、公衆交換電話網６０（以下「電話網６０」と略称する）を介して、外部のファクシミリ装置との間で所定の通信プロトコルに従って通信処理を実行することが可能な通信インターフェイスである。より具体的に、通信Ｉ／Ｆ６は、第１接続部６１、第２接続部６２、遮断切換部６３、切換処理部６４、及びモデム６５を含む。
【００１６】
第１接続部６１は、電話網６０に一端が接続される第１通信線６７の他端が接続される回線側の接続コネクタである。また、通信Ｉ／Ｆ６内において、第１接続部６１は第１通信経路６９を介して切換処理部６４に接続されている。そして、第１通信線６７により第１接続部６１及び電話網６０が接続されると、切換処理部６４には電話網６０から予め定められた４８Ｖの回線電圧が印加される。
【００１７】
第２接続部６２は、通話装置６６に一端が接続される第２通信線６８の他端が接続される回線側の接続コネクタである。また、通信Ｉ／Ｆ６内において、第２接続部６２は第２通信経路７０を介して切換処理部６４に接続されている。通話装置６６は、ユーザーが電話網６０を介して通話を行う際に用いられるハンドセット又は外付けの電話機などである。
【００１８】
ここで、第１通信線６７及び第２通信線６８は２芯の通信線であり、第１接続部６１及び第２接続部６２は同一形状である。そのため、第１通信線６７及び第２通信線６８各々は第１接続部６１及び第２接続部６２各々に接続可能である。
【００１９】
遮断切換部６３は、第２接続部６２及び切換処理部６４の間の第２通信経路７０の確立及び遮断を切り替える接点を有するリレー回路である。遮断切換部６３の前記接点のＯＮ及びＯＦＦは切換処理部６４によって制御される。なお、遮断切換部６３は、同様の機能が実現可能であればリレー回路に限らず、他の電子部品であってもよい。
【００２０】
切換処理部６４は、画像形成装置１０においてファクシミリ通信処理が実行される際に、遮断切換部６３を制御して第２接続部６２との間の第２通信経路７０を遮断する。また、切換処理部６４は、前記ファクシミリ通信処理が実行されていない場合には、遮断切換部６３を制御して第２通信経路７０を確立させる。
【００２１】
さらに、切換処理部６４は、切換処理部６４に並列接続される第１接続部６１及び第２接続部６２から印加される電圧を検出可能である。なお、切換処理部６４は、少なくとも第１接続部６１及び第２接続部６２から前記回線電圧が印加されているか否かを判定することが可能であればよい。
【００２２】
モデム６５は、電話網６０を介して送信する画像データを変調し、又は電話網６０を介して受信する画像データを復調する。具体的に、モデム６５は、通信処理部７１からファクシミリ送信の開始要求を受信した場合、電話網６０からのダイヤルトーン信号の受信を確認した後、予め設定される宛先に電話網６０を介して画像データを変調して送信する。また、通信処理部７１は、電話網６０から着呼信号を受信した後、通信処理部７１からファクシミリ受信の開始要求を受信した場合に、電話網６０を閉結して電話網６０を介して画像データを受信して復調する。その後、モデム６５は、ファクシミリ送信又はファクシミリ受信が終了すると電話網６０を開放する。
【００２３】
さらに、モデム６５は、通信処理部７１から電話の開始要求を受信した場合、電話網６０からのダイヤルトーン信号の受信を確認した後、予め設定される宛先に電話網６０を介して発呼信号を送出する。また、モデム６５は、電話網６０からの着呼信号を受信した後、通話装置６６のオンフックが検出された場合には、電話網６０を閉結して通話装置６６による通話を可能にする。その後、モデム６５は、通話装置６６のオフフックが検出されると電話網６０を開放する。
【００２４】
制御部７は、ＣＰＵ、ＲＯＭ、及びＲＡＭなどの制御機器を備え、画像形成装置１０の各構成要素を制御する。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。前記ＲＡＭは、前記ＣＰＵが実行する各種の処理の一時記憶メモリー（作業領域）として使用される揮発性又は不揮発性の記憶部である。
【００２５】
そして、制御部７は、前記ＲＯＭ又は記憶部５に記憶されている前記制御プログラムを前記ＣＰＵによって実行する。例えば、制御部７は、前記制御プログラムに従って、電話網６０を介して前記画像データを送信するファクシミリ送信処理を実行する。また、制御部７は、前記制御プログラムに従って後述の接続判定処理を実行する。
【００２６】
ところで、画像形成装置１０では、第１接続部６１及び第２接続部６２が設けられるため、ユーザーによって第１通信線６７及び第２通信線６８が誤って逆に接続されるおそれがある。これに対し、画像形成装置１０では、制御部７によって後述の接続判定処理が実行されることにより、第１接続部６１と電話網６０とが正しく接続されているか否かを検出することが可能である。
【００２７】
具体的に、制御部７は、通信処理部７１、接続判定処理部７２、判定報知処理部７３、設定処理部７４、及び遮断禁止処理部７５を含む。なお、制御部７は、前記ＣＰＵによって前記制御プログラムに従って各種の処理を実行することにより各処理部として機能する。
【００２８】
通信処理部７１は、通信Ｉ／Ｆ６を制御し、電話網６０を介して画像データを送受信するファクシミリ通信処理を実行する。具体的に、通信処理部７１は、操作表示部１に対して宛先の電話番号が入力されてファクシミリ送信の開始要求操作が行われた場合に、通信Ｉ／Ｆ６に対して前記ファクシミリ送信の開始要求を送信し、前記画像データを送信するファクシミリ送信処理を実行する。また、通信処理部７１は、電話網６０からの着呼がモデム６５で検出された場合に、自動的にモデム６５にファクシミリ受信の開始要求を送信し、電話網６０を介して前記画像データを受信するファクシミリ受信処理を実行する。さらに、通信処理部７１は、操作表示部１に対して宛先の電話番号が入力されて電話の開始要求操作が行われた場合に、通信Ｉ／Ｆ６に対して電話の開始要求を送信する。
【００２９】
接続判定処理部７２は、予め定められた判定開始条件が充足した場合に、切換処理部６４によって第２接続部６２及び通信処理部７１の間の第２通信経路７０を遮断させる。そして、接続判定処理部７２は、第２通信経路７０が遮断された状態で、切換処理部６４に予め定められた４８Ｖの回線電圧が印加されている場合に、第１接続部６１及び電話網６０の接続が正常であると判定する。なお、前記判定開始条件は、予め定められたユーザー操作が行われること、又は予め定められた通信異常が発生すること等である。
【００３０】
判定報知処理部７３は、接続判定処理部７２による判定結果を報知する。具体的に、判定報知処理部７３は、接続判定処理部７２による判定結果として、少なくとも第１接続部６１と電話網６０とが正しく接続されていない場合にその旨を報知する。また、判定報知処理部７３は、接続判定処理部７２による判定結果として、第１接続部６１と電話網６０とが正しく接続されている場合にもその旨を報知する。
【００３１】
設定処理部７４は、画像形成装置１０の初期設定又はシステム設定などにおいて、通話装置６６の接続の有無の設定を受付可能である。そして、遮断禁止処理部７５は、設定処理部７４によって通話装置６６の接続が無しに設定された場合に、切換処理部６４による第２通信経路７０の遮断を禁止する。即ち、画像形成装置１０に通話装置６６が接続されない場合には、第２通信経路７０が常時確立した状態となる。この場合、前記ファクシミリ通信処理が実行される場合であっても、遮断切換部６３の接点がＯＦＦにならず第１通信経路６９及び第２通信経路７０が共に切換処理部６４に接続された状態となる。従って、仮に第２接続部６２に電話網６０が誤って接続されている場合であっても、通信処理部７１は、切換処理部６４、遮断切換部６３、第２接続部６２、及び電話網６０を介して前記ファクシミリ通信処理を実行することが可能である。
【００３２】
［接続判定処理の一例］
以下、図３を参照しつつ、画像形成装置１０において、制御部７によって実行される接続判定処理の手順の一例について説明する。ここで、ステップＳ１、Ｓ２・・・は、制御部７により実行される処理手順（ステップ）の番号を表している。
【００３３】
＜ステップＳ１＞
ステップＳ１において、制御部７は、予め定められた判定開始条件が充足したか否かを判断する。なお、ステップＳ１は、制御部７の接続判定処理部７２によって実行される。例えば、前記判定開始条件は、操作表示部１に対するユーザー操作により接続確認モードの実行が要求されたことである。また、前記判定開始条件には、前記ファクシミリ送信処理の実行開始時に通信タイムアウトなどの通信異常が生じたことも含まれる。ここで、前記判定開始条件が充足していないと判断されている間（Ｓ１：Ｎｏ）、処理はステップＳ１で待機する。
【００３４】
一方、前記判定開始条件が充足したと判断されると（Ｓ１：Ｙｅｓ）、制御部７は、画像形成装置１０の動作状態を通常動作モードとは異なる接続確認モードに移行させて処理をステップＳ２に移行させる。なお、前記接続確認モードにおいて、制御部７の通信処理部７１は、モデム６５による通信網６０からの着呼への応答を禁止する。これにより、意図しない電話又はファクシミリ受信の開始が防止される。
【００３５】
＜ステップＳ２＞
ステップＳ２において、制御部７は、遮断切換部６３により第２通信経路７０を遮断させる。これにより、第２接続部６２に電話網６０が接続されている場合には、電話網６０から切換処理部６４に前記回線電圧が印加されなくなる。なお、ステップＳ２は、制御部７の接続判定処理部７２によって実行される。
【００３６】
＜ステップＳ３＞
そして、ステップＳ３において、制御部７は、切換処理部６４に前記回線電圧が印加されているか否かを判断する。ここで、前記回線電圧が印加されていると判断されると（Ｓ３：Ｙｅｓ）、処理がステップＳ４に移行し、前記回線電圧が印加されていないと判断されると（Ｓ３：Ｎｏ）、処理がステップＳ３１に移行する。なお、ステップＳ３は、制御部７の接続判定処理部７２によって実行される。
【００３７】
また、本実施形態では、前記回線電圧が印加されていると判断されると、処理がステップＳ４に移行する場合を例に挙げて説明する。一方、制御部７が、前記回線電圧が印加されていると判断された段階で、第１接続部６１及び電話網６０の接続が正常であると判定し、処理をステップＳ６に移行させることも考えられる。
【００３８】
＜ステップＳ３１＞
ステップＳ３１において、制御部７は第１通信線６７の接続異常を報知する。より具体的に、制御部７は、第１接続部６１に電話網６０が接続されていない旨を操作表示部１に表示させる。なお、ステップＳ３１は、制御部７の判定報知処理部７４によって実行される。
【００３９】
＜ステップＳ４＞
ステップＳ４において、制御部７は、第１通信経路６９及び第２通信経路７０が並列接続された直流ループ回路を閉結し、電話網６０を介して発呼可能な状態にする。これにより、第１接続部６１及び電話網６０の接続が正常である場合には、電話網６０から送出されるダイヤルトーン信号がモデム６５で検出されることになる。一方、第１接続部６１及び電話網６０が正常に接続されていない場合には、電話網６０から送出されるダイヤルトーン信号がモデム６５で検出されない。なお、ステップＳ４は、制御部７の接続判定処理部７２によって実行される。
【００４０】
＜ステップＳ５＞
ステップＳ５において、制御部７は、モデム６５によってダイヤルトーン信号が検出されているか否かを判断する。ここで、制御部７は、前記ダイヤルトーン信号が検出されていると判断すると（Ｓ５：Ｙｅｓ）、第１接続部６１及び電話網６０の接続が正常であると判定して、処理をステップＳ６に移行させる。即ち、制御部７は、切換処理部６４に前記回線電圧が印加されており、且つ電話網６０から前記ダイヤルトーン信号が受信されている場合に、第１接続部６１及び電話網６０の接続が正常であると判定する。一方、制御部７は、前記ダイヤルトーン信号が検出されていないと判断されると（Ｓ５：Ｎｏ）、第１接続部６１及び電話網６０の接続が正常でないと判定し、処理をステップＳ５１に移行させる。なお、ステップＳ５は、制御部７の接続判定処理部７２によって実行される。
【００４１】
＜ステップＳ５１＞
ステップＳ５１において、制御部７は、その他の異常状態である旨を報知する。例えば、その他の異常状態には、電話網６０における通信異常、及びモデム６５の動作異常などが含まれる。なお、ステップＳ３１は、制御部７の判定報知処理部７４によって実行される。
【００４２】
＜ステップＳ６＞
ステップＳ６において、制御部７は、第１通信線６７が正常に接続されている旨を報知する。より具体的に、制御部７は、第１通信線６７が第１接続部６１に正しく接続されている旨を操作表示部１に表示させる。なお、ステップＳ６は、制御部７の判定報知処理部７４によって実行される。
【００４３】
＜ステップＳ７＞
その後、ステップＳ７において、制御部７は、ステップＳ４で閉結された前記直流ループ回路を開放し、画像形成装置１０の動作状態を動作確認モードから通常動作モードに移行させた後、当該接続判定処理を終了する。
【００４４】
以上説明したように、画像形成装置１０では、第２通信経路７０が遮断された状態で第１接続部６１に前記回線電圧が印加されているか否かに応じて第１接続部６１に電話網６０が正しく接続されているか否かが判定される。従って、第１接続部６１に通話装置６６が接続され、第２接続部６２に電話網６０が接続された場合でも、第１接続部６１と電話網６０とが正しく接続されていない状態を検出することが可能である。
【００４５】
さらに、画像形成装置１０では、前記第１接続部６１に前記回線電圧が印加されている場合でも、さらに前記ダイヤルトーン信号が受信されることを条件に第１接続部６１と電話網６０とが正しく接続されていると判定される。これにより、例えば電話網６０に代えて他の機器が接続されることにより第１接続部６１に前記回線電圧と同等の電圧が第１接続部６１に印加されている場合であっても、第１接続部６１と電話網６０とが正しく接続されていない状態を検出することが可能である。
【００４６】
［第２実施形態］
図４は、本発明の第２実施形態に係る画像形成装置１０のシステム構成を示す図であり、図５は、本発明の第２実施形態に係る画像形成装置１０で実行される接続判定処理の一例を示すフローチャートである。
【００４７】
図４に示される通信Ｉ／Ｆ６では、第１通信経路６９上にも遮断切換部６３と同様の遮断切換部６３Ａが設けられている。そして、制御部７は、図５に示される前記接続判定処理を実行する。なお、前記接続判定処理（図３参照）と同様の処理手順については同じ符号が付されており、以下ではその説明が省略される。具体的に、図５に示される前記接続判定処理では、ステップＳ１〜Ｓ７の処理に加えてステップＳ７１〜Ｓ７３の処理が実行される。
【００４８】
＜ステップＳ７１＞
第１接続部６１と電話網６０とが正しく接続されていないと判定された場合（Ｓ３：Ｎｏ）、制御部７は、ステップＳ３１の前段においてステップＳ７１〜Ｓ７２を実行する。具体的に、ステップＳ７１において、制御部７は、遮断切換部６３の接点をＯＮにして第２接続経路７０を確立し、遮断切換部６３Ａの接点をＯＦＦにすることにより第１接続経路６９を遮断する。なお、ステップＳ７１〜Ｓ７２は、制御部７の接続判定処理部７２によって実行される。
【００４９】
また、制御部７は、ステップＳ７１の前段において、第１接続経路６９及び第２接続経路７０の入れ替えを実行するか否かを確認するための操作画面Ｄ１を操作表示部１に表示することが考えられる。図６は、操作画面Ｄ１の一例を示す図である。
【００５０】
そして、制御部７は、操作画面Ｄ１において第１接続経路６９及び第２接続経路７０の入れ替えを実行する旨を示す操作キーＫ１が操作された場合に、前記ステップＳ７１を実行する。また、制御部７は、操作画面Ｄ１において第１接続経路６９及び第２接続経路７０の入れ替えを実行しない旨を示す操作キーＫ２が操作された場合には、前記ステップＳ７１を実行せずに処理をステップＳ３１に移行させる。
【００５１】
＜ステップＳ７２＞
次に、ステップＳ７２において、制御部７は、ステップＳ３と同様に、切換処理部６４に前記回線電圧が印加されているか否かを判断する。ここで、前記回線電圧が印加されていないと判断されると（Ｓ７２：Ｎｏ）、処理をステップＳ３１に移行させる。即ち、第１接続部６１及び第２接続部６２のいずれにも前記回線電圧が印加されていない場合には、ステップＳ３１において接続異常が報知される。
【００５２】
一方、前記回線電圧が印加されていると判断されると（Ｓ７２：Ｙｅｓ）、処理がステップＳ５に移行し、モデム６５によって前記ダイヤルトーン信号が検出されているか否かが判断される。そして、制御部７は、ステップＳ５において前記ダイヤルトーン信号が検出されていると判断すると（Ｓ５：Ｙｓｅ）、第２接続部６２に電話網６０が接続されていると判定し、処理をステップＳ７３に移行させる。
【００５３】
＜ステップＳ７３＞
ステップＳ７３において、制御部７は、前記ファクシミリ通信処理の実行時に遮断する通信経路の設定を第２通信経路７０から第１通信経路６９に切り替える。具体的に、制御部７は、前記ファクシミリ通信処理の実行時に遮断する通信経路の設定内容を、モデム６５を介して切換処理部６４に伝達する。これにより、第２接続部６２に電話網６０が接続されている場合には、前記ファクシミリ通信処理が実行される際に、切換処理部６４によって遮断切換部６３Ａの接点がＯＦＦに設定されて第１通信経路６９が遮断されることになる。
【００５４】
以上説明したように、第２実施形態に係る画像形成装置１０では、第１通信経路６９及び第２通信経路７０のうち電話網６０に接続されている通信経路が前記ファクシミリ通信処理で用いられる通信経路として選択される。一方、第１通信経路６９及び第２通信経路７０のうち電話網６０に接続されていない通信経路は、前記ファクシミリ通信処理時に遮断されることになる。即ち、ユーザーが電話網６０及び通話装置６６を第１接続部６１及び第２接続部６２に誤って逆に接続した場合であっても、その接続状態を入れ替えることなく画像形成装置１０を正常に使用することが可能となる。
【符号の説明】
【００５５】
６    通信Ｉ／Ｆ
６０  公衆交換電話網
６１  第１接続部
６２  第２接続部
６３  遮断切換部
６３Ａ  遮断切換部
６４  切換処理部
６５  モデム
６６  通話装置
６７  第１通信線
６８  第２通信線
６９  第１通信経路
７０  第２通信経路
７    制御部
７１  通信処理部
７２  接続判定処理部
７３  判定報知処理部
７４  設定処理部
７５  遮断禁止処理部
１０  画像形成装置
【図１】
0006376094.tif 000002
【図２】
0006376094.tif 000003
【図３】
0006376094.tif 000004
【図４】
0006376094.tif 000005
【図５】
0006376094.tif 000006
【図６】
0006376094.tif 000007